(57)【要約】      （修正有）【課題】部品の三次元印刷を認定するための方法及び装置の提供。【解決手段】部品ライブラリ２０８、データベース２１０及び部品管理システム２１２を備え、部品ライブラリ２０８は、複数の部品定義ファイル２１６を保存するよう構成され、データベース２１０は、複数の部品定義ファイル２１６を使用しての部品の印刷を特定するエントリを保存するよう構成され、部品管理システム２１２は、部品ライブラリ２０８内の一部品定義ファイル２１６に対する要求を受信し、部品ライブラリ２０８内の複数の部品定義ファイル２１６の中の部品定義ファイル２１６を特定し、部品定義ファイル２１６を使用しての部品の印刷の表示を受信し、かつ、データベース２１０内に、部品定義ファイル２１６を使用しての前記部品の印刷を特定するエントリを保存するよう構成される装置。【選択図】図２
2015120330.tif 000002
【特許請求の範囲】
【請求項１】
装置であって、
複数の部品定義ファイル（２１４）を保存するよう構成された部品ライブラリ（２０８）と、
前記複数の部品定義ファイル（２１４）を使用しての部品の印刷を特定するエントリ（３０２）を保存するよう構成されたデータベース（２１０）、及び、
前記部品ライブラリ（２０８）内の一部品定義ファイル（２１６）に対する要求を受信し、前記部品ライブラリ（２０８）内の前記複数の部品定義ファイル（２１４）の中の前記部品定義ファイル（２１６）を特定し、前記部品定義ファイル（２１６）を使用しての部品の印刷の表示を受信し、かつ、前記データベース（２１０）内の前記部品定義ファイル（２１６）を使用しての前記部品の前記印刷を特定するエントリを保存するよう構成された部品管理システム（２１２）を備える、装置。
【請求項２】
方法であって、
部品ライブラリ（２０８）内の一部品定義ファイル（２１６）に対する要求を受信すること（８０２）、
前記部品ライブラリ（２０８）内の複数の部品定義ファイル（２１４）の中の前記部品定義ファイル（２１６）を特定すること（８０４）、
前記部品定義ファイル（２１６）を使用しての部品の印刷の表示を受信すること（８０６）、及び、
データベース（２１０）内の前記部品定義ファイル（２１６）を使用しての前記部品の前記印刷を特定するエントリを保存すること（８０８）を含む、方法。
【請求項３】
前記部品定義ファイル（２１６）を使用しての前記部品の前記印刷の前記表示を受信することに応答して、支払いを要求すること（８１０）を更に含む、請求項２に記載の方法。
【請求項４】
三次元印刷システム（２０４）に、前記複数の部品定義ファイル（２１４）内の前記部品定義ファイル（２１６）を送信することを更に含む、請求項２又は３に記載の方法。
【請求項５】
三次元印刷システム（２０４）の診断情報（２４２）が、前記複数の部品定義ファイル（２１４）内の前記部品定義ファイル（２１６）のプリンタ仕様（２２２）及び材料仕様（２２４）のうち、少なくとも１つに適合することを検証することを更に含む、請求項２から４のいずれか一項に記載の方法。
【請求項６】
事象に応答して、三次元印刷システム（２０４）に、前記部品定義ファイル（２１６）を削除するための削除コマンドを送信することを更に含む、請求項２から５のいずれか一項に記載の方法。
【請求項７】
三次元印刷システム（２０４）に前記複数の部品定義ファイル（２１４）内の前記部品定義ファイル（２１６）を送信する前に、前記部品定義ファイル（２１６）を暗号化することを更に含む、請求項３から６のいずれか一項に記載の方法。
【請求項８】
システムであって、
複数の部品定義ファイル（２１４）を保存するよう構成された部品ライブラリ（２０８）と、
前記複数の部品定義ファイル（２１４）を使用しての部品の印刷を特定するエントリ（３０２）を保存するよう構成されたデータベース（２１０）と、
三次元印刷システム（２０４）から、前記部品ライブラリ（２０８）内の一部品定義ファイル（２１６）に対する要求を受信するよう構成された部品管理システム（２１２）、及び、
前記複数の部品定義ファイル（２１４）を使用して、部品を印刷するよう構成された前記三次元印刷システム（２０４）を備える、システム。
【請求項９】
前記データベース（２１０）と前記部品管理システム（２１２）は、認定システム（２０２）内に配置され、前記認定システム（２０２）は、いくつかの部品定義ファイルを前記部品ライブラリ（２０８）に追加することによって、前記部品ライブラリ（２０８）を更新するよう構成される、請求項８に記載のシステム。
【請求項１０】
前記データベース（２１０）と前記部品管理システム（２１２）は、認定システム（２０２）内に配置され、前記認定システム（２０２）は、前記部品ライブラリ（２０８）を最新のものにしておくために、前記部品ライブラリ（２０８）のいくつかの部品定義ファイルについて、仕様を更新するよう構成される、請求項８又は９に記載のシステム。
【発明の詳細な説明】
【技術分野】
【０００１】
現代の航空機は、複数の異なる部品を包含している。航空機製造業者は、各部品の設計が、耐空性標準及び連邦航空局（ＦＡＡ）による他の条件に基づき認証されるようにしている。ある部品に対する認証とは、寸法、形状及び材料の仕様というような、その部品の仕様に対して特有のものである。
【０００２】
航空機の耐用期間中に、部品は交換されることがある。交換部品に対する需要を満たすために、航空機製造業者は、部品の在庫を手元に保管しておく。交換部品が必要な時に、顧客は、航空機製造業者からの部品を要求する。しかし、航空機製造業者から要求した部品を受領するには、顧客にとって望ましくない程の時間がかかる可能性がある。顧客の中には、望ましくない程の時間待機することを避けるために、部品の在庫を手元に保管しておくところもある。しかし、余剰部品の在庫の保管により、航空機製造業者と顧客のいずれにおいても、望ましくない程の資源が費やされることがある。
【背景技術】
【０００３】
三次元印刷とは、部品定義ファイルから、任意の仮想的形状の固体物体を製作する工程である。三次元印刷は、材料の層を連続的に積み重ねる加法過程である。三次元印刷は、ポリマー、石膏、金属及び合金などの多種多様な材料を用いて実行される。三次元印刷によって、必要な部品のオンデマンド方式の製造が可能になる。
【０００４】
したがって、上述の問題点の少なくともいくつかに加え、起こり得る他の問題点も考慮に入れた、方法及び装置を有することが望ましい。
【発明の概要】
【０００５】
例示的な一実施形態では、装置が提供される。装置は、部品ライブラリ、データベース及び部品管理システムを備える。部品ライブラリは、複数の部品定義ファイルを保存するよう構成される。データベースは、複数の部品定義ファイルを使用しての部品の印刷を特定するエントリを保存するよう構成される。部品管理システムは、部品ライブラリ内の一部品定義ファイルに対する要求を受信し、部品ライブラリ内の複数の部品定義ファイルの中の前記部品定義ファイルを特定し、前記部品定義ファイルを使用しての部品の印刷の表示を受信し、かつ、データベース内に、前記部品定義ファイルを使用しての部品の印刷を特定するエントリを保存するよう構成される。
【０００６】
前記例示的な実施形態では、部品管理システムは更に、
（１）部品定義ファイルを使用しての部品の印刷の表示を受信することに応答して、支払いを要求すること、
（２）部品定義ファイルを三次元印刷システムに送信すること、
（３）暗号化部品定義ファイルを形成するために部品定義ファイルを暗号化すること、及び、部品管理システム（２１２）が三次元印刷システムに部品定義ファイルを送信するよう構成されている際には、三次元印刷システムに暗号化部品定義ファイルを送信するよう構成されていること、
（４）三次元印刷システムが、部品ライブラリ内の複数の部品定義ファイルの中の一部品定義ファイルのプリンタ仕様と材料仕様のうち、少なくとも１つに適合した診断情報を有することを検証すること、
（５）部品ライブラリ内の複数の部品定義ファイルを使用して、三次元印刷システム内の第２の部品ライブラリを更新すること、
のうち、いくつか或いは全てを実行するように構成される。
【０００７】
別の例示的な実施形態では、方法が提供される。方法は、部品ライブラリ内の一部品定義ファイルに対する要求を受信すること、部品ライブラリ内の複数の部品定義ファイルの中の前記部品定義ファイルを特定すること、前記部品定義ファイルを使用しての部品の印刷の表示を受信すること、及び、データベース内に、前記部品定義ファイルを使用しての部品の印刷を特定するエントリを保存することを含む。
【０００８】
また別の例示的な実施形態では、システムが提示される。システムは、部品ライブラリ、データベース、部品管理システム、及び三次元印刷システムを備える。部品ライブラリは、複数の部品定義ファイルを保存するよう構成される。データベースは、複数の部品定義ファイルを使用しての部品の印刷を特定するエントリを保存するよう構成される。部品管理システムは、三次元印刷システムから、部品ライブラリ内の一部品定義ファイルに対する要求を受信するよう構成される。三次元印刷システムは、複数の部品定義ファイルを使用して、部品を印刷するよう構成される。
【０００９】
前記別の例示的な実施形態では、部品ライブラリは、三次元印刷システム内に配置される。
【００１０】
前記別の例示的な実施形態では、三次元印刷システムは更に、データ処理システムを備える。
【００１１】
前記別の例示的な実施形態では、三次元印刷システムは、いくつかの三次元プリンタを備える。
【００１２】
前記別の例示的な実施形態では、データベースと部品管理システムは、認定システム内に配置される。
【００１３】
前記別の例示的な実施形態では、認定システムと三次元印刷システムは、データ接続によって接続される。
【００１４】
特性及び機能は、本発明の様々な実施形態で独立に実現することが可能であり、或いは、以下の説明及び図面を参照して更なる詳細が理解されうる他の実施形態において組み合わせることも可能である。
【００１５】
例示的な実施形態の特徴と考えられる新規の特性は、添付の特許請求の範囲において規定される。しかし、例示的な実施形態に加え、好ましい使用モード、更にはその目的及び特性は、添付図面を参照して本開示の例示的な実施形態の後述の詳細説明を読むことにより最もよく理解されるであろう。
【図面の簡単な説明】
【００１６】
【図１】例示的な一実施形態による、航空機の図解である。
【図２】例示的な一実施形態による、部品環境のブロック図である。
【図３】例示的な一実施形態による、データベースの図解である。
【図４】例示的な一実施形態による、データフローの図解である。
【図５】例示的な一実施形態による、データフローの別の図解である。
【図６】例示的な一実施形態による、部品の三次元印刷の工程のフロー図である。
【図７】例示的な一実施形態による、部品の三次元印刷の工程の別のフロー図である。
【図８】例示的な一実施形態による、部品の三次元印刷を認定する工程のフロー図である。
【図９】例示的な一実施形態による、部品の三次元印刷を認定する工程の別のフロー図である。
【図１０】例示的な一実施形態による、データ処理システムのブロック図である。
【図１１】例示的な一実施形態による、航空機の製造及び保守方法のブロック図である。
【図１２】例示的な一実施形態を実施可能な、航空機のブロック図である。
【発明を実施するための形態】
【００１７】
種々の例示的な実施形態は、いくつもの異なる検討事項を認識し、かつ考慮している。例えば、例示的な実施形態は、顧客が部品を在庫に保持しておくよりも、必要な時に部品を三次元印刷することを好むと認識し、そのことを考慮している。そのため、異なる例示的な実施形態は、顧客が部品を三次元印刷することで、部品を保存するコストが低減されると認識し、そのことを考慮している。更に、前記異なる例示的な実施形態は、顧客が部品を三次元印刷することで、部品を受領するまでの時間が短縮されると認識し、そのことを考慮している。
【００１８】
前記異なる例示的な実施形態は、航空機製造業者が、部品定義ファイルのような知的財産へのアクセスを限定することを希望すると認識し、そのことを考慮している。更に、前記異なる例示的な実施形態は、航空機製造業者が、部品の三次元印刷の各々にあたり支払いを求めると認識し、そのことを考慮している。また更に、前記異なる例示的な実施形態は、航空機製造業者が、印刷された部品が認証条件を満たすよう、三次元印刷システムからの情報を検証することを希望すると認識し、そのことを考慮している。
【００１９】
ここで図面、具体的には図１を参照するに、例示的な実施形態による、航空機の図が示されている。この例示的な実施例では、航空機１００は、機体１０６に取り付けられた翼部１０２及び翼部１０４を有する。航空機１００は、翼部１０２に取り付けられたエンジン１０８、及び、翼部１０４に取り付けられたエンジン１１０を含む。
【００２０】
機体１０６は、尾部１１２を有する。水平安定板１１４、水平安定板１１６、及び垂直安定板１１８は、機体１０６の尾部１１２に取り付けられる。
【００２１】
航空機１００は、例示的な一実施形態による、三次元印刷を使用して製造された部品が実装されうる航空機の一実施例である。いくつかの例示的な実施例では、機体１０６の客室の一部は、三次元印刷された部品を使用して形成されうる。例えば、航空機１００の客室内の手荷物収納棚の把持部には、三次元印刷された部品が使用されうる。
【００２２】
図１の航空機１００の図は、例示的な一構成が実装されるやり方に対して、物理的な又は構造的な限定を示唆することを意図していない。例えば、航空機１００は民間機であるが、航空機１００は、軍用航空機、回転翼機、ヘリコプター、無人飛行体、又は他の任意の適当な航空機でもありうる。
【００２３】
例示的な一実施形態に関する例示的な実施例について、航空機に関連付けて説明したが、例示的な実施形態は、他の種類のプラットフォームにも適用可能である。プラットフォームとは、例えば、移動式プラットフォーム、固定式プラットフォーム、陸上構造物、水中構造物、及び宇宙構造物でもありうる。より具体的には、プラットフォームは、水上船舶、戦車、人員運搬車、列車、宇宙船、宇宙ステーション、衛星、潜水艦、自動車、発電所、橋、ダム、家屋、風車小屋、製造施設、建造物、及び他の適当なプラットフォームでもありうる。
【００２４】
ここで図２を参照するに、例示的な一実施形態による、部品環境のブロック図が示されている。この例示的な実施例では、一又は複数の例示的な実施形態のための種々の構成要素を示すために、図２の部品環境２００がブロック図の形で示される。この例示的な実施例では、部品環境２００は、データ接続２０６を介して連通する、認定システム２０２と三次元印刷システム２０４を含む。データ接続２０６は、少なくとも１つの有線接続又は無線接続である。
【００２５】
認定システム２０２は、三次元印刷システム２０４による部品の印刷を認定するよう構成される。認定システム２０２は、部品ライブラリ２０８、データベース２１０、及び部品管理システム２１２を含む。
【００２６】
部品ライブラリ２０８は、複数の部品定義ファイル２１４を保存する。図示したように、複数の部品定義ファイル２１４は、部品定義ファイル２１６及び部品定義ファイル２１８を含む。図示したように、２つの部品定義ファイルは、複数の部品定義ファイル２１４内に示されている。しかし、複数の部品定義ファイル２１４は、望ましい任意の数の部品定義ファイルを有しうる。
【００２７】
部品定義ファイル２１６は、第１部品２１７を創出するために、三次元印刷システム２０４によって使用されるファイルである。部品定義ファイル２１６は、部品仕様２２０、プリンタ仕様２２２、及び材料仕様２２４を含む。部品仕様２２０は、第１部品２１７のための物理的仕様を含む。部品仕様２２０は、三次元形状及び寸法のうち、少なくとも１つを含む。
【００２８】
本明細書で使用しているように、列挙されたアイテムと共に使用される「〜のうちの少なくとも１つ」という表現は、列挙されたアイテムの一又は複数の種々の組み合わせが使用可能であり、かつ列挙されたアイテムのいずれか１つだけがあればよいということを意味する。例えば、「アイテムＡ、アイテムＢ、及びアイテムＣのうち少なくとも１つ」は、「アイテムＡ」、又は「アイテムＡとアイテムＢ」を含むことがあるが、これらだけに限定される訳ではない。この例は、「アイテムＡ、アイテムＢ及びアイテムＣ」、または「アイテムＢとアイテムＣ」も含むことがある。アイテムは、特定の対象物、物品または区分である可能性がある。すなわち、「〜のうち少なくとも１つ」はアイテムの任意の組み合わせを意味し、いくつかのアイテムが列挙から使用可能であるが、列挙されたアイテムの全てが必要な訳ではない。
【００２９】
プリンタ仕様２２２は、プリンタが、部品定義ファイル２１６を使用して第１部品２１７を創出するのに必要な特質を含む。例示的な一実施例では、プリンタ仕様２２２は、プリンタ解像度を含む。別の例示的な一実施例では、プリンタ仕様２２２は、現在のプリンタの状態を含む。材料仕様２２４は、部品定義ファイル２１６を使用して第１部品２１７を形成するのに使用されうる、特定された材料を含む。材料仕様２２４は、第１部品２１７の認証によって限定される。
【００３０】
部品定義ファイル２１８は、第２部品２１９を創出するために、三次元印刷システム２０４によって使用されうるファイルである。部品定義ファイル２１８は、部品仕様２２６、プリンタ仕様２２８、及び材料仕様２３０を含む。部品仕様２２６は、第２部品２１９のための物理的仕様を含む。部品仕様２２６は、三次元形状及び寸法のうち、少なくとも１つを含む。プリンタ仕様２２８は、プリンタが、部品定義ファイル２１８を使用して第２部品２１９を創出するのに必要な特質を含む。例示的な一実施例では、プリンタ仕様２２８は、プリンタ解像度を含む。別の例示的な一実施例では、プリンタ仕様２２８は、現在のプリンタの状態を含む。材料仕様２３０は、部品定義ファイル２１８を使用して第２部品２１９を形成するのに使用されうる、特定された材料を含む。材料仕様２３０は、第２部品２１９の認証によって限定される。
【００３１】
データベース２１０は、複数の部品定義ファイル２１４を使用しての部品の印刷を特定するエントリを保存するよう構成される。いくつかの例示的な実施例では、データベース２１０は、部品の印刷の各々についてエントリを保存する。いくつかの例示的な実施例では、データベース２１０は、顧客によって印刷された部品の各々についてエントリを保存する。この例示的な実施例では、エントリは、顧客によって部品が印刷された回数についてのフィールドを包含する。いくつかの例示的な実施例では、データベース２１０は、三次元プリンタによって印刷された部品の各々についてエントリを保存する。この例示的な実施例では、エントリは、三次元プリンタによって部品が印刷された回数についてのフィールドを包含する。
【００３２】
部品管理システム２１２は、部品の三次元印刷の認定を促進するよう構成される。部品管理システム２１２は、部品ライブラリ２０８内の部品定義ファイル２１６のような、部品定義ファイルに対する要求を受信するよう構成される。部品管理システム２１２は、データ接続２０６を介して、三次元印刷システム２０４から要求を受信する。部品管理システム２１２は、部品ライブラリ２０８内の複数の部品定義ファイル２１４の中の部品定義ファイル２１６のような、一部品定義ファイルを特定するようにも構成されている。部品定義ファイル２１６を特定した後に、部品管理システム２１２は、部品定義ファイル２１６を暗号化し、三次元印刷システム２０４に送信する。部品管理システム２１２は、暗号化後に、データ接続２０６を介して、部品定義ファイル２１６を送信する。
【００３３】
部品管理システム２１２は更に、部品定義ファイルを使用しての部品の印刷の表示を受信するよう構成される。例示的な一実施例では、この表示は、三次元印刷システム２０４による、部品定義ファイル２１６を使用しての第１部品２１７の印刷の表示である。部品管理システム２１２は、データベース内に、部品定義ファイルを使用しての部品の印刷を特定するエントリを保存するようにも構成される。加えて、部品管理システム２１２は、事象に応答して支払いを要求するよう構成される。いくつかの例示的な実施例では、事象とは、部品定義ファイルを使用しての部品の印刷の表示を受信することである。他のいくつかの例示的な実施例では、事象とは、部品定義ファイルを使用して望ましい数の部品が印刷されたというというメッセージを、三次元印刷システム４０２から受信することである。
【００３４】
図示したように、三次元印刷システム２０４は、三次元プリンタ２３２、三次元プリンタ２３４、及び、データ処理システム２３６を有する。図示したように、三次元印刷システムは、２つの三次元プリンタを包含する。しかし、三次元印刷システム２０４は、望ましい任意の数の三次元プリンタを包含しうる。同様に、三次元印刷システム２０４は、望ましい任意の数のデータ処理システムを包含できる。
【００３５】
三次元プリンタ２３２は、部品ライブラリ２３８、いくつかの材料２４０、及び診断情報２４２を有する。いくつかの例示的な実施例では、部品ライブラリ２３８は当初、いかなる部品定義ファイルも包含しないことがある。これらの例示的な実施例では、部品定義ファイルは、三次元プリンタ２３２を使用しての部品の印刷に先立ち、部品ライブラリ２３８にロードされる。これらの例示的な実施例では、部品定義ファイルは、部品定義ファイルを使用しての部品の印刷の後で、消去される。
【００３６】
他のいくつかの例示的な実施例では、部品ライブラリ２３８は、複数の部品定義ファイルを包含する。これらの例示的な実施例では、認定システム２０２が、必要に応じて部品ライブラリ２３８を更新する。例えば、認定システム２０２は、部品ライブラリ２３８に、いくつかの部品定義ファイルを追加する。部品定義ファイルは、顧客が新たな種類の航空機を購入した後に、部品ライブラリ２３８に追加されうる。部品定義ファイルは、航空機製造業者によって新たな部品定義ファイルが創出された後に、部品ライブラリ２３８に追加されることもある。別の実施例としては、認定システム２０２は、部品ライブラリ２３８を最新のものにしておくために、部品ライブラリ２３８のいくつかの部品定義ファイルについて、仕様を更新する。部品ライブラリ２３８のいくつかの部品定義ファイルについての仕様は、航空機製造業者によって部品に対する変更が行われるにつれ、更新されうる。
【００３７】
三次元プリンタ２３２は、いくつかの材料２４０を使用して部品を製造できる。いくつかの材料２４０は、金属、合金、ポリマー、又は他の望ましい材料のうち、少なくとも１つから選択される。
【００３８】
診断情報２４２は、プリンタ解像度、プリンタ状態情報、又は他の任意のプリンタ情報を含む。いくつかの例示的な実施例では、部品管理システム２１２は、診断情報２４２が、部品定義ファイル２１６のプリンタ仕様２２２又は材料仕様２２４のうち少なくとも１つに適合することを検証する。いくつかの例示的な実施例では、部品管理システム２１２は、診断情報２４２が、部品定義ファイル２１８のプリンタ仕様２２８又は材料仕様２３０のうち少なくとも１つに適合することを検証する。
【００３９】
図示したように、三次元プリンタ２３２は、入力２５０を受信する。入力２５０は、部品番号２５２及び部品図解２５４のうち少なくとも１つである。いくつかの例示的な実施例では、三次元プリンタ２３２は、入力２５０を使用して部品のための部品定義ファイルを特定する。いくつかの例示的な実施例では、データ処理システム２３６は、三次元プリンタ２３２と連通し、入力２５０を使用して部品のための部品定義ファイルを特定する。部品定義ファイルを特定した後、三次元印刷システム２０４は、認定システム２０２に、部品定義ファイルに対する要求を送信する。
【００４０】
いくつかの例示的な実施例では、要求を送信した後に、三次元印刷システム２０４は、部品定義ファイル２１６のような部品定義ファイルを受信する。いくつかの例示的な実施例では、要求を送信した後に、三次元印刷システム２０４は、三次元プリンタ２３２又は三次元プリンタ２３４上で部品定義ファイルを使用して部品を印刷するための、認定を受信する。部品定義ファイル、又は部品を印刷するための認定を受信した後に、三次元プリンタ２３２は、部品２５６を印刷する。部品２５６は、複数の部品定義ファイル２１４から、又は部品ライブラリ２３８からの部品定義ファイルを使用して印刷される。いくつかの例示的な実施例では、部品２５６は、第１部品２１７の一実行形態となる。いくつかの例示的な実施例では、部品２５６は、第２部品２１９の一実行形態となる。
【００４１】
三次元プリンタ２３４は、部品ライブラリ２４４、いくつかの材料２４６、及び診断情報２４８を有する。いくつかの例示的な実施例では、部品ライブラリ２４４は当初、いかなる部品定義ファイルも包含しないことがある。これらの例示的な実施例では、部品定義ファイルは、三次元プリンタ２３４を使用しての部品の印刷に先立ち、部品ライブラリ２４４にロードされる。これらの例示的な実施例では、部品定義ファイルは、部品定義ファイルを使用しての部品の印刷に続き、消去される。
【００４２】
他のいくつかの例示的な実施例では、部品ライブラリ２４４は、複数の部品定義ファイルを包含する。これらの例示的な実施例では、認定システム２０２が、必要に応じて部品ライブラリ２４４を更新する。例えば、認定システム２０２は、部品ライブラリ２４４に、いくつかの部品定義ファイルを追加する。部品定義ファイルは、顧客が新たな種類の航空機を購入した後に、部品ライブラリ２４４に追加されうる。部品定義ファイルは、航空機製造業者によって新たな部品定義ファイルが創出された後に、部品ライブラリ２４４に追加されることもある。別の実施例としては、認定システム２０２は、部品ライブラリ２４４を最新のものにしておくために、部品ライブラリ２４４のいくつかの部品定義ファイルについて、仕様を更新する。部品ライブラリ２４４のいくつかの部品定義ファイルについての仕様は、航空機製造業者によって部品に対する変更が行われるにつれ、更新されうる。
【００４３】
三次元プリンタ２３４は、いくつかの材料２４６を使用して部品を製造できる。いくつかの材料２４６は、金属、合金、ポリマー、又は他の望ましい材料のうち、少なくとも１つから選択される。
【００４４】
診断情報２４８は、プリンタ解像度、プリンタ状態情報、又は他の任意のプリンタ情報を含む。いくつかの例示的な実施例では、部品管理システム２１２は、診断情報２４８が、部品定義ファイル２１６のプリンタ仕様２２２又は材料仕様２２４のうち少なくとも１つに適合することを検証する。いくつかの例示的な実施例では、部品管理システム２１２は、診断情報２４８が、部品定義ファイル２１８のプリンタ仕様２２８又は材料仕様２３０のうち少なくとも１つに適合することを検証する。
【００４５】
部品の三次元印刷を認定する認定システム２０２を有することにより、部品定義ファイルの所有者は、部品定義ファイルに誰がアクセスするかをコントロールすることができる。いくつかの例示的な実施例では、所有者とは航空機製造業者である。更に、部品の三次元印刷を認定する認定システム２０２を有することにより、部品定義ファイルの所有者は、特定の部品が印刷された回数を追跡することができる。加えて、部品の三次元印刷を認定する認定システム２０２を有することにより、部品定義ファイルの所有者は、部品の印刷の各々について、支払いを要求することができる。三次元印刷システムの診断情報を検証することにより、認定システムは、部品の三次元印刷が認証標準を満たしていることを検証できる。
【００４６】
図２の部品環境２００の図は、例示的な一実施形態が実装されるやり方に対して、物理的な又は構造的な限定を示唆することを意図していない。示されている構成要素に追加して、又はそれを代替して、他の構成要素を使用することもできる。いくつかの構成要素は、不必要になることがある。また、いくつかの機能構成要素を示すために、ブロックが提示されている。これらのブロックのうち一又は複数は、例示的な一実施形態において実装される時、結合され、分割され、又は異なるブロックと結合され、別々のブロックに分割されることがある。
【００４７】
例えば、図示したように、２つの部品定義ファイルは、複数の部品定義ファイル２１４内に示されている。しかし、複数の部品定義ファイル２１４は、望ましい任意の数の部品定義ファイルを有しうる。
【００４８】
ここで図３を見るに、例示的な実施形態によるデータベースの図が示されている。データベース３００は、図２のデータベース２１０の一実行形態である。
【００４９】
データベース３００は、エントリ３０２を保存する。図示したように、エントリ３０２は識別子３０４を有する。識別子３０４は、トランザクション番号３０６、顧客番号３０８、プリンタ番号３１０、部品番号３１２、部品定義ファイル位置３１４、及び印刷時間３１６を含む。トランザクション番号３０６は、部品のそれぞれの印刷について特有の識別子である。顧客番号３０８は、部品を印刷した顧客についての識別子である。顧客は、部品を印刷した三次元印刷システムの所有者である。プリンタ番号３１０は、部品を印刷した三次元プリンタについての識別子である。部品番号３１２は、印刷された特定の部品についての識別子である。部品定義ファイル位置３１４は、認定システムか三次元印刷システムの、どちらからの部品定義ファイルを使用して部品が印刷されたかを特定する。印刷時間３１６は、印刷の表示が受信された日時の識別子である。
【００５０】
図示したように、エントリ３０２は、部品の印刷の各々について１つのエントリを備える。いくつかの例示的な実施例では、エントリ３０２は、各部品について１つのエントリを備える。これらの例示的な実施例では、各エントリは、部品が印刷された回数について、追加的な識別子を有することがある。
【００５１】
ここで図４を参照するに、例示的な一実施形態による、データフローが示されている。データフロー４００は、図２の、データ接続２０６を介しての認定システム２０２と三次元印刷システム２０４の間の通信の実行形態の一実施例である。三次元印刷システム４０２は、図２の三次元印刷システム２０４の実行形態の一実施例である。認定システム４０４は、図２の認定システム２０２の実行形態の一実施例である。
【００５２】
データフロー４００では、要求及び情報の各々はメッセージとなる。いくつかの例示的な実施例では、メッセージは、三次元印刷システム４０２又は認定システム４０４の内部で送信される。いくつかの例示的な実施例では、メッセージは、三次元印刷システム４０２と認定システム４０４の間で送信される。データフロー４００では、三次元印刷システム４０２が、認定システム４０４からの部品定義ファイルを要求する。部品定義ファイルに対する要求の受信に応答して、認定システム４０４は、診断情報を要求する。三次元印刷システム４０２はその後、認定システム４０４に診断情報を送信する。
【００５３】
認定システム４０４は、部品定義ファイルを特定する。部品定義ファイルの特定の後に、認定システム４０４は、診断情報が、部品定義ファイルのプリンタ仕様及び材料仕様のうち少なくとも１つに適合することを検証する。診断情報が望ましいものであることを検証した後に、認定システム４０４は、部品定義ファイルを暗号化する。認定システム４０４はその後、三次元印刷システム４０２に、暗号化された部品定義ファイルを送信する。三次元印刷システム４０２は、暗号化された部品定義ファイルを暗号解除する。三次元印刷システム４０２はその後、暗号解除された部品定義ファイルを使用して、部品を印刷する。部品を印刷した後に、三次元印刷システム４０２は、認定システム４０４に印刷の表示を送信する。印刷の表示に応答して、認定システム４０４は、データベース内に、印刷を特定するエントリを保存する。
【００５４】
認定システム４０４はその後、三次元印刷システム４０２に削除コマンドを送信する。削除コマンドに応答して、三次元印刷システム４０２は部品定義ファイルを削除する。認定システム４０４は、部品の印刷について支払いを要求する。
【００５５】
ここで図５を見るに、例示的な実施形態による、データフローの別の図が示されている。データフロー５００は、図２の、データ接続２０６を介しての認定システム２０２と三次元印刷システム２０４の間の通信の実行形態の一実施例である。三次元印刷システム５０２は、図２の三次元印刷システム２０４の実行形態の一実施例である。認定システム５０４は、図２の認定システム２０２の実行形態の一実施例である。
【００５６】
データフロー５００では、要求及び情報の各々はメッセージとなる。いくつかの例示的な実施例では、メッセージは、三次元印刷システム５０２又は認定システム５０４の内部で送信される。いくつかの例示的な実施例では、メッセージは、三次元印刷システム５０２と認定システム５０４の間で送信される。データフロー５００では、三次元印刷システム５０２が、認定システム５０４からの部品定義ファイルを要求する（メッセージｍ１）。部品定義ファイルに対する要求の受信に応答して、認定システム５０４は、診断情報を要求する（メッセージｍ２）。三次元印刷システム５０２はその後、認定システム５０４に診断情報を送信する（メッセージｍ３）。
【００５７】
認定システム５０４は、部品定義ファイルを特定する（メッセージｍ４）。部品定義ファイルの特定の後に、認定システム５０４は、診断情報が、部品定義ファイルのプリンタ仕様及び材料仕様のうち少なくとも１つに適合することを検証する（メッセージｍ５）。診断情報が望ましいものであることを検証した後に、認定システム５０４は、三次元印刷システム５０２に、部品を印刷するための認定を送信する（メッセージｍ６）。
【００５８】
部品を印刷するための認定を受信した後に、三次元印刷システム５０２は、部品定義ファイルを読み出す（メッセージｍ７）。いくつかの例示的な実施例では、三次元印刷システム５０２の三次元プリンタは、三次元プリンタの部品ライブラリから部品定義ファイルを読み出すことがある。三次元印刷システム５０２はその後、部品定義ファイルを使用して、部品を印刷する（メッセージｍ８）。その後に、三次元印刷システム５０２は、認定システム５０４に印刷の表示を送信する（メッセージｍ９）。
【００５９】
印刷の表示に応答して、認定システム５０４は、データベース内に、印刷を特定するエントリを保存する（メッセージｍ１０）。認定システム５０４は、三次元印刷システム５０２からの部品の印刷について、支払いを要求する（メッセージｍ１１）。
【００６０】
ここで図６を参照するに、例示的な一実施形態による、部品の三次元印刷の工程のフロー図が示されている。図６に示す工程は、図２の三次元印刷システム２０４を使用して部品を印刷するために実装されうる。
【００６１】
工程は、部品定義ファイルに対する要求を送信する（作業６０２）ことによって開始される。いくつかの例示的な実施例では、三次元印刷システムが要求を送信する。三次元印刷システムは、図２の三次元印刷システム２０４でありうる。いくつかの例示的な実施例では、部品定義ファイルは印刷される部品番号によって選択される。
【００６２】
工程はその後、暗号化された部品定義ファイルを受信する（作業６０４）。工程は次に、暗号化された部品定義ファイルを暗号解除し、暗号解除された部品定義ファイルの形にする（作業６０６）。工程はその後、暗号解除された部品定義ファイルを使用して、部品を印刷する（作業６０８）。その後に工程は終了する。
【００６３】
ここで図７を見るに、例示的な一実施形態による、部品の三次元印刷の工程の、別のフロー図が示されている。図７に示す工程は、図２の三次元印刷システム２０４のような、三次元印刷システムを使用して部品を印刷するために実装されうる。
【００６４】
工程は、部品定義ファイルに対する要求を送信する（作業７０２）ことによって開始される。工程はその後、部品定義ファイルを使用して部品を印刷するための認定を受信する（作業７０４）。その次に、工程は、部品定義ファイルを読み出す（作業７０６）。いくつかの例示的な実施例では、部品定義ファイルは、三次元印刷システムのデータ処理システムから読み出されることがある。データ処理システムは、図２の三次元印刷システム２０４のデータ処理システム２３６でありうる。いくつかの例示的な実施例では、部品定義ファイルは、図２の三次元プリンタ２３２のような、三次元プリンタから読み出されることもある。工程はその後、部品定義ファイルを使用して部品を印刷する（作業７０８）。その後に工程は終了する。
【００６５】
ここで図８を参照するに、例示的な一実施形態による、部品の三次元印刷を認定する工程のフロー図が示されている。図８に示す工程は、部品の三次元印刷を認定するために実装されうる。図８に示す工程は、図２の認定システム２０２などの認定システムを使用して実装されうる。
【００６６】
工程は、部品ライブラリ内の一部品定義ファイルに対する要求を受信する（作業８０２）ことによって開始される。要求は、三次元印刷システムから、認定システムによって受信される。認定システムは、図２の認定システム２０２でありうる。三次元印刷システムは、図２の三次元印刷システム２０４でありうる。工程はその後、部品ライブラリ内の複数の部品定義ファイルの中の前記部品定義ファイルを特定する（作業８０４）。工程はその後、前記部品定義ファイルを使用しての部品の印刷の表示を受信する（作業８０６）。工程はその後、データベース内に、前記部品定義ファイルを使用しての部品の印刷を特定するエントリを保存する（作業８０８）。工程はその後、前記部品定義ファイルを使用しての部品の印刷の表示を受信することに応答して、支払いを要求する（作業８１０）。その後に工程は終了する。
【００６７】
ここで図９を見るに、例示的な一実施形態による、部品の三次元印刷を認定する工程の、別のフロー図が示されている。図９に示す工程は、部品の三次元印刷を認定するために、実装されうる。図９に示す工程は、図２の認定システム２０２などの認定システムを使用しても実装されうる。
【００６８】
工程は、部品ライブラリ内の一部品定義ファイルに対する要求を受信する（作業９０２）ことによって開始される。工程はその後、三次元印刷システムについての診断情報を要求する（作業９０４）。工程はその後、三次元印刷システムについての診断情報を受信する（作業９０６）。工程はその後、部品ライブラリ内の複数の部品定義ファイルの中の前記部品定義ファイルを特定する（作業９０８）。工程はその後、三次元印刷システムが、部品ライブラリ内の複数の部品定義ファイルの中の前記部品定義ファイルのプリンタ仕様と材料仕様のうち、少なくとも１つに適合した診断情報を有することを検証する（作業９１０）。工程は次に、前記部品定義ファイルを暗号化し、暗号化された部品定義ファイルの形にする（作業９１２）。工程はその後、三次元印刷システムに、暗号化された部品定義ファイルを送信する（作業９１４）。工程は次に、前記部品定義ファイルを使用しての部品の印刷の表示を受信する（作業９１６）。工程はその後、データベース内に、前記部品定義ファイルを使用しての部品の印刷を特定するエントリを保存する（作業９１８）。工程はその後、前記部品定義ファイルを使用しての部品の印刷の表示を受信することに応答して、支払いを要求する（作業９２０）。その後に工程は終了する。
【００６９】
ここで図１０を参照するに、例示的な一実施形態による、データ処理システムのブロック図が示されている。データ処理システム１０００は、図２の認定システム２０２内の一又は複数のコンピュータを実装するために使用されうる。更に、データ処理システム１０００は、図２のデータ処理システム２３６の一実行形態でありうる。図示したように、データ処理システム１０００は、プロセッサユニット１００４、記憶装置１００６、通信ユニット１００８、入出力ユニット１０１０、及びディスプレイ１０１２の間の通信を提供する、通信フレームワーク１００２を含む。場合によっては、通信フレームワーク１００２は、バスシステムとしても実装されうる。
【００７０】
プロセッサユニット１００４は、ソフトウェアについての命令を実行して、いくつかの作業を実行するように構成される。プロセッサユニット１００４は、実行形態に応じて、いくつかのプロセッサ、一マルチプロセッサコア、及び／又は他の何らかの種類のプロセッサを備える。場合によっては、プロセッサユニット１００４は、回路システム、特定用途向け集積回路（ＡＳＩＣ）、プログラマブル論理デバイス、又は他の何らかの適当な種類のハードウェアユニットなどの、ハードウェアユニットの形をとることがある。
【００７１】
プロセッサユニット１００４によって稼働するオペレーティングシステム、アプリケーション、及び／又はプログラムに関する命令は、記憶装置１００６内に配置される。記憶装置１００６は、通信フレームワーク１００２を通じて、プロセッサユニット１００４と連通する。本書において、記憶装置とは、コンピュータ可読記憶媒体と呼ばれることもあり、一時的に及び／又は永続的に情報を保存することができるハードウェアの任意の一部である。この情報は、データ、プログラムコード、及び／又は他の情報を含むことがあるが、それらだけに限定される訳ではない。
【００７２】
メモリ１０１４及び固定記憶域１０１６は、記憶装置１００６の実施例である。メモリ１０１４は、例えば、ランダムアクセスメモリ、又は、何らかの種類の揮発性或いは不揮発性の記憶装置の形をとる。固定記憶域１０１６は、任意の数の構成要素又は機器を備える。例えば、固定記憶域１０１６は、ハードドライブ、フラッシュメモリ、書換型光ディスク、書換可能磁気テープ、又はそれらの何らかの組み合わせであることがある。固定記憶域１０１６によって使用される媒体は、着脱式であることも、そうでないこともある。
【００７３】
通信ユニット１００８により、データ処理システム１０００の、他のデータ処理システム及び／又は機器との通信が可能になる。通信ユニット１００８は、物理的な及び／又は無線の通信リンクを使用して、通信を提供する。
【００７４】
入出力ユニット１０１０は、データ処理システム１０００に接続された他の機器との、入力の受信及び出力の送信を可能にする。例えば、入出力ユニット１０１０により、キーボード、マウス、及び／又は他の何らかの種類の入力装置を通じての、ユーザ入力の受信が可能になる。別の実施例としては、入出力ユニット１０１０は、データ処理システム１０００に接続されたプリンタへの出力の送信を可能にする。
【００７５】
ディスプレイ１０１２はユーザに情報を表示するよう構成される。ディスプレイ１０１２は、限定する訳ではないが例としては、モニタ、タッチスクリーン、レーザーディスプレイ、ホログラフィックディスプレイ、仮想表示デバイス、及び／又は他の何らかの種類のディスプレイ装置を含む。
【００７６】
この例示的な実施例では、種々の例示的な実施形態の工程は、コンピュータに実装された命令を使用して、プロセッサユニット１００４によって実行される。これらの命令は、プログラムコード、コンピュータ使用可能プログラムコード、又はコンピュータ可読プログラムコードと呼ばれ、プロセッサユニット１００４内の一又は複数のプロセッサによって読み取られ、実行される。
【００７７】
これらの実施例では、プログラムコード１０１８は、選択的に着脱可能なコンピュータ可読媒体１０２０上に機能的な形で配置され、プロセッサユニット１００４による実行のためにデータ処理システム１０００にロードされるか、又は転送される。プログラムコード１０１８及びコンピュータ可読媒体１０２０は、一体としてコンピュータプログラム製品１０２２を形成する。この例示的な実施例では、コンピュータ可読媒体１０２０は、コンピュータ可読記憶媒体１０２４、又はコンピュータ可読信号媒体１０２６である。
【００７８】
コンピュータ可読記憶媒体１０２４は、プログラムコード１０１８を伝搬、又は伝送する媒体というよりはむしろ、プログラムコード１０１８を保存するために使用される物理的或いは有形の記憶装置である。コンピュータ可読記憶媒体１０２４は、限定する訳ではないが例としては、データ処理システム１０００に接続される光ディスク又は磁気ディスク、或いは固定記憶装置である。
【００７９】
代替的には、プログラムコード１０１８は、コンピュータ可読信号媒体１０２６を使用して、データ処理システム１０００に転送されうる。コンピュータ可読信号媒体１０２６は、例えば、プログラムコード１０１８を包含する、伝播されたデータ信号である。このデータ信号は、物理的な及び／又は無線の通信リンクを介して伝送されうる、電磁信号、光信号、並びに／或いは他の何らかの種類の信号である。
【００８０】
図１０のデータ処理システム１０００の図は、例示的な実施形態が実装されるやり方に対する、構造的な制限を提示することを意図している訳ではない。種々の例示的な実施形態は、データ処理システム１０００に関して示されている構成要素に対して追加的な、又は代替的な構成要素を含む、データ処理システム内で実装されうる。更に、図１０に示す構成要素は、示されている例示的な実施例とは異なることがある。
【００８１】
本発明の例示的な実施形態は、図１１に示す航空機の製造及び保守方法１１００、並びに図１２に示す航空機１２００に関連して記載されている。まず図１１を見るに、例示的な実施形態による、航空機の製造及び保守方法のブロック図が示されている。製造前の段階では、航空機の製造及び保守方法１１００は、図１２の航空機１２００の仕様及び設計１１０２、並びに材料調達１１０４を含む。
【００８２】
製造段階では、図１２の航空機１２００の、構成要素及びサブアセンブリの製造１１０６と、システム統合１１０８とが行われる。その後に、図１２の航空機１２００は、認可及び納品１１１０を経て、運航１１１２に供される。顧客による運航１１１２の中で、図１２の航空機１２００には、改造、再構成、改修、及びその他の整備または保守を含む、定期的な整備及び保守１１１４が予定される。
【００８３】
航空機の製造及び保守方法１１００の各工程は、システムインテグレータ、第三者、及び／又はオペレータによって、実行又は実施される。これらの実施例では、オペレータは顧客であることもある。本明細書の目的では、システムインテグレータとは、任意の数の航空機製造業者及び主要システム業務委託先を含む可能性があるが、それらに限定される訳ではなく、第三者とは、任意の数のベンダー、下請業者、及び供給業者を含む可能性があるが、それらに限定される訳ではなく、オペレータとは、航空会社、リース会社、軍事団体、サービス機関などである可能性があるが、それらに限定される訳ではない。
【００８４】
ここで図１２を参照するに、例示的な実施形態が実装されうる航空機のブロック図が示されている。この実施例では、航空機１２００は、図１１の航空機の製造及び保守方法１１００によって製造されたものであり、複数のシステム１２０４及び内装１２０６を有する機体１２０２を含む。システム１２０４の実施例は、推進システム１２０８、電気システム１２１０、油圧システム１２１２、及び環境システム１２１４のうち、一又は複数が含まれる。任意の数の他のシステムが含まれることもある。航空宇宙産業の実施例が示されているが、自動車産業など他の産業にも、種々の例示的な実施形態を適用することができる。
【００８５】
本明細書で具現化される装置及び方法は、図１１の航空機の製造及び保守方法１１００の少なくとも１つの段階で採用可能である。一又は複数の例示的な実施形態は、整備及び保守１１１４の中で使用されうる。例えば、三次元印刷システム２０４は、整備及び保守１１１４の中で、部品を印刷して交換を実行するためにも使用される。航空機１２００向けの部品は、航空機１２００の予定された整備の中で、三次元印刷されうる。
【００８６】
それゆえ、例示的な実施形態は、部品の三次元印刷を認定するための方法及び装置を提供する。部品の三次元印刷を認定する認定システム２０２を有することにより、部品定義ファイルの所有者は、部品定義ファイルに誰がアクセスするかをコントロールすることができる。いくつかの例示的な実施例では、所有者とは航空機製造業者である。更に、部品の三次元印刷を認定する認定システム２０２を有することにより、部品定義ファイルの所有者は、特定の部品が印刷された回数を追跡することができる。加えて、部品の三次元印刷を認定する認定システム２０２を有することにより、部品定義ファイルの所有者は、部品の印刷の各々について、支払いを要求することができる。三次元印刷システムの診断情報を検証することにより、認定システムは、部品の三次元印刷が認証標準を満たしていることを検証できる。
【００８７】
部品の三次元印刷を認定するための仕組みを提供することにより、顧客は、製造業者からの交換部品を注文するかわりに、交換部品を三次元印刷することができる。部品を三次元印刷することによって、顧客は、交換部品を取り付けるまでの時間を短縮できる。部品を三次元印刷することによって、顧客は、交換部品の保存に割かれる資源を低減させることができる。
【００８８】
図示された種々の実施形態におけるフロー図及びブロック図は、例示的な一実施形態における、いくつかの実装可能な装置及び方法の構造、機能、並びに動作を示す。これに関し、フロー図又はブロック図の各ブロックは、一モジュール、一セグメント、一機能及び／又は操作或いはステップの一部を表わすことがある。
【００８９】
例示的な一実施形態のいくつかの代替的な実行形態では、ブロックに記載された一又は複数の機能は、図中の記載の順序を逸脱して現れることがある。例えば、含まれる機能によっては場合により、連続して示されている二つのブロックがほぼ同時に実行されること、また時には、ブロックが逆順に実行されることもありうる。また、フロー図やブロック図に示されたブロックに、他のブロックが付加される可能性もある。
【００９０】
種々の例示的な実施形態の記述は、例示及び説明を目的として提示されたものであり、完全な説明であること、または、実施形態を開示された形に限定することを意図していない。当業者には、多くの修正例及び変形例が自明となるであろう。さらに、種々の例示的な実施形態は、他の例示的な実施形態と比較して異なる特性を提供することができる。選択された一又は複数の実施形態は、実施形態の原理、実際の用途を最もよく説明するため、及び他の当業者に対し、考慮される特定の用途に適した様々な修正を行った様々な実施形態の開示内容の理解を促すために選ばれ、かつ、記述されている。
【符号の説明】
【００９１】
１００  航空機
１０２  翼部
１０４  翼部
１０６  機体
１０８  翼部１０２に取り付けられたエンジン
１１０  翼部１０４に取り付けられたエンジン
１１２  尾部
１１４  水平安定板
１１６  水平安定板
１１８  垂直安定板
２００  部品環境
２０２  認定システム
２０４  三次元印刷システム
２０６  データ接続
２０８  部品ライブラリ
２１０  データベース
２１２  部品管理システム
２１４  複数の部品定義ファイル
２１６  部品定義ファイル
２１７  第１部品
２１８  部品定義ファイル
２１９  第２部品
２２０  部品仕様
２２２  プリンタ仕様
２２４  材料仕様
２２６  部品仕様
２２８  プリンタ仕様
２３０  材料仕様
２３２  三次元プリンタ
２３４  三次元プリンタ
２３６  データ処理システム
２３８  部品ライブラリ
２４０  いくつかの材料
２４２  診断情報
２４４  部品ライブラリ
２４６  いくつかの材料
２４８  診断情報
２５０  入力
２５２  部品番号
２５４  部品図解
２５６  部品
３００  データベース
３０２  エントリ
３０４  識別子
３０６  トランザクション番号
３０８  顧客番号
３１０  プリンタ番号
３１２  部品番号
３１４  部品定義ファイル位置
３１６  印刷時間
４００  データフロー
４０２  三次元印刷システム
４０４  認定システム
５００  データフロー
５０２  三次元印刷システム
５０４  認定システム
１０００  データ処理システム
１００２  通信フレームワーク
１００４  プロセッサユニット
１００６  記憶装置
１００８  通信ユニット
１０１０  入出力ユニット
１０１２  ディスプレイ
１０１４  メモリ
１０１６  固定記憶域
１０１８  プログラムコード
１０２０  コンピュータ可読媒体
１０２２  コンピュータプログラム製品
１０２４  コンピュータ可読記憶媒体
１０２６  コンピュータ可読信号媒体
１１００  航空機の製造及び保守方法
１１０２  仕様及び設計
１１０４  材料調達
１１０６  構成要素及びサブアセンブリの製造
１１０８  システム統合
１１１０  認可及び納品
１１１２  運航
１１１４  整備及び保守
１２００  航空機
１２０２  機体
１２０４  システム
１２０６  内装
１２０８  推進システム
１２１０  電気システム
１２１２  油圧システム
１２１４  環境システム
【図１】
2015120330.tif 000003
【図２】
2015120330.tif 000004
【図３】
2015120330.tif 000005
【図４】
2015120330.tif 000006
【図５】
2015120330.tif 000007
【図６】
2015120330.tif 000008
【図７】
2015120330.tif 000009
【図８】
2015120330.tif 000010
【図９】
2015120330.tif 000011
【図１０】
2015120330.tif 000012
【図１１】
2015120330.tif 000013
【図１２】
2015120330.tif 000014
【外国語明細書】
2015120330000001.pdf
2015120330000002.pdf
2015120330000003.pdf
2015120330000004.pdf